(57)【要約】本発明は、リフターに関するもので、特に、洗濯物を撹拌させると同時に、洗濯水に含まれる異物質を除去して排出するためのリフターを備える洗濯機に関するものである。本発明に係る洗濯機は、洗濯水が収容されるタブと、タブの内側に備わるドラムと、ドラムに設置されるリフター本体と、リフター本体に備わり、異物質が捕集されるフィルタリングユニットと、タブから流入する洗濯水をフィルタリングユニット側に案内する給水部とを含む。【選択図】図４
2010526637.tif 000002
【特許請求の範囲】
【請求項１】
洗濯水が収容されるタブと、
前記タブの内側に備わるドラムと、
前記ドラムに設置されるリフター本体と、
前記リフター本体に備わり、異物質が捕集されるフィルタリングユニットと、
前記タブから流入する洗濯水を前記フィルタリングユニット側に案内する給水部と、を含むことを特徴とする洗濯機。
【請求項２】
前記ドラムは、
前記リフター本体が嵌め込まれる係止ホール部と、
前記リフター本体が結合される結合ホール部と、を備えることを特徴とする、請求項１に記載の洗濯機。
【請求項３】
前記リフター本体の一側は開放されており、
前記リフター本体は、固定突起及び締結ホール部を含み、
前記固定突起及び前記締結ホール部はそれぞれ前記一側に形成され、
前記固定突起は前記係止ホール部に挿入されるように配列され、
前記締結ホール部は前記結合ホール部に締結されるように配列されることを特徴とする、請求項２に記載の洗濯機。
【請求項４】
前記リフター本体には、前記フィルタリングユニットが設置される定着部が形成され、
前記定着部には、洗濯水が流入する貫通ホール部及び溝部が形成されることを特徴とする、請求項１に記載の洗濯機。
【請求項５】
前記リフター本体には、前記リフター本体の内部を区画する隔壁がさらに形成されることを特徴とする、請求項４に記載の洗濯機。
【請求項６】
前記リフター本体と前記隔壁との間にはガイドがさらに備わることを特徴とする、請求項５に記載の洗濯機。
【請求項７】
前記ガイドは、前記リフター本体の内壁から前記隔壁の方向に突出し、前記貫通ホール部の方向に曲面をなして折り曲げられることを特徴とする、請求項６に記載の洗濯機。
【請求項８】
前記給水部は、
前記貫通ホール部に対応して前記ドラムに形成されるホール部と、
前記ホール部から前記ドラムの外側方向に傾斜して延長されるガイドパネルと、を含むことを特徴とする、請求項６に記載の洗濯機。
【請求項９】
前記給水部は、
ホール部と、
前記ホール部から傾斜して延長されるガイドパネルと、を含むことを特徴とする、請求項６に記載の洗濯機。
【請求項１０】
前記フィルタリングユニットには係止部がさらに設置されることを特徴とする、請求項１に記載の洗濯機。
【請求項１１】
前記フィルタリングユニットは、
吸入口が形成されるケースと、
前記ケースに回転可能に設置され、吐出口が形成されるカバーと、
前記吐出口の内側に設置されるフィルタと、
前記ケースと前記カバーとの間に設置される開閉部と、を含むことを特徴とする、請求項１０に記載の洗濯機。
【請求項１２】
前記係止部は、前記ケースから突出して延長される突起をさらに含むことを特徴とする、請求項１１に記載の洗濯機。
【請求項１３】
前記フィルタリングユニットは、前記リフター本体に着脱可能に設置されることを特徴とする、請求項１に記載の洗濯機。
【請求項１４】
前記フィルタリングユニットは、第１のフィルタリング部と、前記第１のフィルタリング部とは独立にろ過する第２のフィルタリング部と、を含み、
前記フィルタリングユニットに流入する水は、前記第１のフィルタリング部及び前記第２のフィルタリング部によってろ過されることを特徴とする、請求項１に記載の洗濯機。
【請求項１５】
前記第１のフィルタリング部は、前記フィルタリングユニットの表面の数箇所に配列される複数の突起を備えることを特徴とする、請求項１４に記載の洗濯機。
【請求項１６】
前記第２のフィルタリング部はスクリーンフィルタを備えることを特徴とする、請求項１４に記載の洗濯機。
【発明の詳細な説明】
【技術分野】
【０００１】
本発明は、リフターに関するもので、特に、洗濯物を撹拌させると同時に、洗濯水に含まれる異物質を除去して排出するためのリフターを備える洗濯機に関するものである。
【背景技術】
【０００２】
図１は、背景技術による洗濯機を示した側断面図である。
【０００３】
背景技術による洗濯機は、正面に開口部１が形成されたキャビネット２と、前記開口部１の内側に設置され、洗濯水が収容されるタブ４と、前記タブ４の内側に回転可能に設置され、洗濯物及び洗剤が収容されるドラム３と、前記ドラム３の回転軸に連結され、前記タブ４の後面に装着されたモーター６と、前記タブ４が前記キャビネット２の内側に一定の範囲内で移動可能に設置されるように、前記キャビネット２の内壁とタブ４の外壁との間に設置されるサスペンション８とを含んで構成される。
【０００４】
ここで、前記ドラム３は、前記キャビネット２及びタブ４と同一の方向に開口され、後面外壁には前記モーター６の回転軸７が設置される。ここで、前記モーター６の回転軸７の端部には三脚状のスパイダー９が設置され、前記スパイダー９がドラムの後面外壁に締結される。
【０００５】
これによって、前記モーター６が駆動すると、前記ドラム３が水平方向の回転軸７を中心に回転しながら洗濯作用を行うようになる。
【０００６】
そして、前記ドラム３の内壁で回転中心に向けて突出する多数のリフター5が設置されることによって、ドラム３の回転時に洗濯物を上側に持ち上げるので、洗濯物を撹拌させ、洗濯効果を向上させる。
【０００７】
前記リフター５は、前記ドラム３の内壁に水平方向に長く設置され、回転中心に向けて突出し、ドラム３が回転すると、ドラム３の下側に位置する洗濯物をドラム３の上側に持ち上げるので、洗濯物の撹拌を増加させる。
【０００８】
上述した内容は、本発明の背景技術を説明したもので、上述した内容を従来技術として認めるのではない。
【発明の概要】
【発明が解決しようとする課題】
【０００９】
しかしながら、従来技術による洗濯機のリフター５は、単純に洗濯物の撹拌を増加させるためのものであるので、異物質が多量に含まれた洗濯物が収容されるときには、洗濯作動の終了時までドラム３の内部に洗濯物と異物質が共存するので、洗濯作業後にも洗濯物に多くの異物質が残存するという問題点がある。
【００１０】
本発明は、前記のような背景技術の問題点を改善するためになされたもので、洗濯水に含まれた異物質を捕集するリフターを備える洗濯機を提供することを目的とする。
【００１１】
また、本発明は、異物質を捕集するリフターを容易に設置可能な洗濯機を提供することを目的とする。
【００１２】
また、本発明は、洗濯水に含まれた異物質を捕集した後、異物質が再び排出されることを防止可能なリフターを備える洗濯機を提供することを目的とする。
【００１３】
また、本発明は、洗濯水に含まれた異物質を容易に捕集し、捕集量が増加するリフターを備える洗濯機を提供することを目的とする。
【課題を解決するための手段】
【００１４】
本発明に係る洗濯機は、洗濯水が収容されるタブと、前記タブの内側に備わるドラムと、前記ドラムに設置されるリフター本体と、前記リフター本体に備わり、異物質が捕集されるフィルタリングユニットと、前記タブから流入する洗濯水を前記フィルタリングユニット側に案内する給水部とを含む。
【００１５】
前記ドラムは、前記リフター本体が嵌め込まれる係止ホール部と、前記リフター本体が結合される結合ホール部とを備えることが望ましい。また、前記リフター本体は、一側が開放されており、前記係止ホール部に挿入される固定突起と、前記結合ホール部に結合される締結ホール部とを含むことが望ましい。
【００１６】
前記リフター本体には、前記フィルタリングユニットが設置される定着部が形成され、前記定着部には、洗濯水が流入する貫通ホール部及び溝部が形成されることが望ましい。また、前記リフター本体には、前記リフター本体の内部を区画する隔壁がさらに形成されることが望ましい。また、前記リフター本体と前記隔壁との間にはガイドがさらに備わる。また、前記ガイドは、前記リフター本体の内壁から前記隔壁の方向に突出し、前記貫通ホール部の方向に曲面をなして折り曲げられることが望ましい。また、前記給水部は、前記貫通ホール部に対応して前記ドラムに形成されるホール部と、前記ホール部から前記ドラムの外側方向に傾斜して延長されるガイドパネルとを含むことが望ましい。また、前記給水部は、ホール部と、前記ホール部から傾斜して延長されるガイドパネルとを含むことが望ましい。
【００１７】
前記フィルタリングユニットには係止部がさらに設置されることが望ましい。また、前記フィルタリングユニットは、吸入口が形成されるケースと、前記ケースに回転可能に設置され、吐出口が形成されるカバーと、前記吐出口の内側に設置されるフィルタと、前記ケースと前記カバーとの間に設置される開閉部とを含むことが望ましい。また、前記係止部は、前記ケースから突出して延長される突起をさらに含むことが望ましい。
【００１８】
前記フィルタリングユニットは、前記リフター本体に着脱可能に設置されることが望ましい。
【発明の効果】
【００１９】
前記のように構成される本発明に係る洗濯機は、タブから流入する洗濯水がリフターの内部を貫通してドラムの内部に供給される流路が形成され、この流路の途中に異物質が捕集されるフィルタリングユニットが設置されることによって、洗濯中に発生する異物質の除去を効果的に行うことができ、洗濯作業を清潔に行うことができる。
【００２０】
また、本発明に係る洗濯機は、リフターがドラムに嵌め込まれた後、締結部材によって結合されるので、リフター設置を容易に行うことができる。
【００２１】
また、本発明に係る洗濯機は、リフターに給水部が設置されることによって、ドラムの回転方向と関係なしに洗濯水がリフターを通してドラムの内部のみに供給されるので、異物質の捕集を容易に行うことができ、フィルタリングユニットの内部に流入した洗濯水がガイドによって逆流されないので、フィルタリングユニットによってろ過された異物質が再び排出されることを防止することができる。
【００２２】
また、本発明に係る洗濯機は、フィルタリングユニットの内部に係止部が設置されることによって、フィルタリングユニットに流入する異物質を係止部及びフィルタによって２回にかけて捕集するので、異物質の除去を効果的に行うことができる。
【図面の簡単な説明】
【００２３】
【図１】背景技術に係る洗濯機を示した断面図である。
【図２】本発明の一実施例に係る洗濯機を示した断面図である。
【図３】本発明の一実施例に係る洗濯機のリフターを示した斜視図である。
【図４】本発明の一実施例に係る洗濯機のリフターを示した断面図である。
【図５】本発明の一実施例に係る洗濯機のドラム内壁を示した平面図である。
【図６】図５のＡ―Ａ線断面図で、本発明の一実施例に係る洗濯機の給水部を示した断面図である。
【図７】本発明の一実施例に係る洗濯機のリフター本体を示した斜視図である。
【図８】本発明の一実施例に係るリフター本体を示した底面斜視図である。
【図９】本発明の一実施例に係る洗濯機のフィルタリングユニットを示した分解斜視図である。
【発明を実施するための形態】
【００２４】
以下、本発明に係る洗濯機の一実施例について添付の図面を参照して詳細に説明する。説明の便宜上、ドラム洗濯機を例に挙げて説明する。この過程で図面に示した線の厚さや構成要素の大きさなどは、説明の明瞭性と便宜のために誇張されて示されることがある。また、後述する各用語は、本発明での機能を考慮して定義された用語で、これは、使用者及び運用者の意図又は慣例によって変わり得る。したがって、これら用語は、本明細書の全般的な内容に基づいて定義されるべきである。
【００２５】
図２は、本発明の一実施例に係る洗濯機を示した断面図で、図３は、本発明の一実施例に係る洗濯機のリフターを示した斜視図で、図４は、本発明の一実施例に係る洗濯機のリフターを示した断面図である。
【００２６】
また、図５は、本発明の一実施例に係る洗濯機のドラム内壁を示した平面図で、図６は、図５のＡ―Ａ線断面図として、本発明の一実施例に係る洗濯機の給水部を示した断面図で、図７は、本発明の一実施例に係る洗濯機のリフター本体を示した斜視図である。
【００２７】
また、図８は、本発明の一実施例に係るリフター本体を示した底面斜視図で、図９は、本発明の一実施例に係る洗濯機のフィルタリングユニットを示した分解斜視図である。
【００２８】
図２〜図９を参照すれば、本発明の一実施例に係る洗濯機は、正面に開口部１２が形成されたキャビネット１０と、開口部１２の内側に設置され、洗濯水が収容されるタブ１４と、タブ１４の内側に回転可能に設置され、洗濯物が収納されるドラム２０と、ドラム２０の回転軸に連結され、タブ１４の後面に装着された駆動装置１８と、キャビネット１０の内壁とタブ１４の外壁との間に設置されるサスペンション１６とを含む。
【００２９】
ドラム２０には、内壁から回転中心に向けて突出する多数のリフター１００が設置される。リフター１００は、洗濯物を持ち上げた後で落下させるので、洗濯物の撹拌を増加させ、洗濯効果を向上させる。
【００３０】
ドラム２０には、リフター本体３０の両側面下端に対応する部分に係止ホール部２２が形成され、リフター本体３０が締結部材によって結合される結合ホール部２４が形成される。
【００３１】
リフター本体３０を係止ホール部２２に嵌め込んだ後、後述するリフター本体３０の締結ホール部３８及び結合ホール部２４に締結部材を締結すると、ドラム２０の内壁にリフター本体３０が装着される。
【００３２】
リフター１００は、ドラム２０の内壁に設置されるリフター本体３０と、リフター本体３０に備わるフィルタリングユニット４０と、ドラム２０の内壁に設置され、タブ１４から流入する洗濯水を吸入口４２側に案内する給水部５０とを含む。フィルタリングユニット４０には吸入口４２及び吐出口４７が形成され、吐出口４７にはフィルタ４８が備わり、これによって異物質を捕集する。ここで、リフター本体３０は、左右方向に長く形成されることが望ましい。
【００３３】
リフター本体３０は、係止ホール部２２に嵌め込まれる固定突起３６と、ドラム２０の結合ホール部２４に結合される締結ホール部３８とを備えている。リフター本体３０は、開放されるように形成される部分を含むことが望ましい。また、リフター本体３０は、凹状に形成され、フィルタリングユニット４０が設置される定着部３２を備えている。定着部３２には、吸入口４２に対応する側に貫通ホール部３４が形成される。
【００３４】
リフター本体３０には、給水部５０に対応する側にリフター本体３０の内部を区画する隔壁３７が形成され、リフター本体３０の内壁にはガイド３９が形成される。ガイド３９は、リフト本体３０の両側面内壁から隔壁３７の方向に突出したパネル状に形成され、その端部が貫通ホール部３４の方向に曲面をなして折り曲げられる。
【００３５】
タブ１４から給水部５０を経てリフター本体３０の内部に供給される洗濯水は、貫通ホール部３４を通過し、吸入口４２を通してフィルタリングユニット４０に案内され、吐出口４７を通してドラム２０の内部に流入する。このとき、洗濯水は、隔壁３７によって形成された流路に沿って貫通ホール部３４の方向に移動する。また、流入した洗濯水は、ガイド３９によってリフター本体３０の後方に逆流されることが防止されるので、洗濯水の逆流による渦流発生が抑制され、貫通ホール部３４側に円滑に移動する。貫通ホール部３４及び吸入口４２を通してフィルタリングユニット４０に流入した洗濯水は、吐出口４７を通してドラム２０の内部に排出され、洗濯水中の異物質は、フィルタ４８によってろ過されてフィルタリングユニット４０の内部に残存するようになる。
【００３６】
洗濯作動が行われる間、持続的な洗濯水の循環によって洗濯水に含まれた異物質や毛羽などがフィルタリングユニット４０に捕集されるので、洗濯作業の終了後、使用者は、フィルタリングユニット４０をリフター本体３０から分離することによって異物質を除去できるようになる。
【００３７】
フィルタリングユニット４０は、吸入口４２が形成されたケース４６と、ケース４６に回転可能に設置され、吐出口４７が形成されたカバー４１と、吐出口４７の内側に設置されるフィルタ４８と、ケース４６とカバー４１との間に設置される開閉部４９とを含む。フィルタリングユニット４０は、リフター本体３０に着脱可能に設置されることが望ましい。
【００３８】
一側が開放され、後方部が所定角度をなして折り曲げられるように形成されるケース４６の斜面には吸入口４２が形成され、ケース４６には、カバー４１の端部が定着される突起４３が形成される。
【００３９】
カバー４１は、リフター本体３０の定着部３２に組み立てられる。カバー４１は、一側が開放されるように形成され、ケース４６に回転可能に結合される。カバー４１には着脱部６０が設置される。カバー４１の一側には吐出口４７が形成され、吐出口４７の内側にはフィルタ４８が設置される。フィルタ４８は、網状に形成されており、カバー４１の内壁にインサート方式で設置される。フィルタ４８は、金属材質であることが望ましい。したがって、フィルタ４８の取替え作業が要求されず、使用者の操作によってフィルタリングユニット４０をリフター本体３０から離脱した後、カバー４１を開放し、内部に残存する異物質を容易に除去できるようになる。
【００４０】
開閉部４９は、ケース４６の両側面から突出した一対の係止突起４９ａと、係止突起４９ａに対応するカバー４１の両側面に形成された挿入溝部４９ｂとを含む。カバー４１をケース４６の方向に回転すると、カバー４１の両側壁面が互いに離れながら、係止突起４９ａがカバー４１の内壁に沿ってスライディングされて挿入溝部４９ｂの内側に嵌め込まれ、カバー４１の閉鎖が行われる。
【００４１】
これと同様に、使用者がカバー４１をケース４６の外側方向に引っ張ると、係止突起４９ａが挿入溝部４９ｂから離脱されながらフィルタリングユニット４０が開放される。
【００４２】
給水部５０は、貫通ホール部３４及び吸入口４２に対応するドラム２０の内壁の部分的な切開によってホール部５６をなしており、切開部分がドラム２０の外側方向に折り曲げられるガイドパネル５８を備えている。
【００４３】
また、給水部５０は、ドラム２０の切開部分が折り曲げられ、隔壁３７によって区画された第１の部分３７ａに対応するように配置される第１の給水部５２と、ドラム２０の切開部分が折り曲げられ、隔壁３７によって区画された第２の部分３７ｂに対応するように配置される第２の給水部５４とを含む。
【００４４】
ドラム２０が時計方向に回転するときには、第１の給水部５２によって洗濯水がドラム２０の内部に流入し、ドラム２０が反時計方向に回転するときには、第２の給水部５４によって洗濯水が流入する。したがって、洗濯水は、ドラム２０の回転方向と関係なしに給水部５０を通して一定の流路をなして流入するようになる。
【００４５】
そして、第１の給水部５２及び第２の給水部５４が配置される空間が隔壁３７によって区画されるので、それぞれの給水部５０によって流入する洗濯水が互いに干渉されず、洗濯水の流動が円滑に行われるようになる。
【００４６】
併せて、定着部３２とフィルタリングユニット４０との間には着脱部６０が設置され、使用者の操作によってフィルタリングユニット４０を着脱することができる。
【００４７】
この着脱部６０は、カバー４１の前方側端部に一対の切開部が所定間隔をなして形成される弾性部６２と、弾性部６２の外側から突出したフック６４と、フック６４に対応する定着部３２に形成され、フック６４がスライディングされながら嵌め込まれるようにする固定ホール部６６と、定着部３２に形成された係止段６７と、係止段６７に対応するカバー４１が外側方向に長く形成され、係止段６７の内側に配置される延長部６８と、延長部６８に対応する定着部３２の内壁に形成され、延長部６８と所定間隔を維持するように配置され、フィルタリングユニット４０が定着部３２の内側にスライディングできるようにするストッパー６９とを含む。
【００４８】
フィルタリングユニット４０をリフター本体３２に挿入するときには、延長部６８を定着部３２の係止段６７側に所定角度だけ傾斜して挿入し、フィルタリングユニット４０が定着部３２の内部に挿入された後、リフター本体３０の前方側にスライディングされると、弾性部６２が下側方向に移動しながらフック６４が固定ホール部６６に挿入され、フィルタリングユニット４０が装着される。
【００４９】
フィルタリングユニット４０をリフター本体３０から離脱するときには、弾性部６２を押しながらフィルタリングユニット４０を定着部３２の内側方向にスライディングさせると、フック６４が固定ホール部６６から離脱され、フィルタリングユニット４０の前方側端部が持ち上げられるので、リフター本体３０からフィルタリングユニット４０が分離される。
【００５０】
前記のようなフィルタリングユニット４０の装着及び分離作業が円滑に行われるように弾性部６２の上面に多数のリブ６２ａが形成されることによって、フィルタリングユニット４０をスライディングさせる作業を容易に行うことができ、定着部３０の両側上端に一対の溝部３３が形成されることによって、フィルタリングユニット４０を容易に持ち上げられるようになる。
【００５１】
また、フィルタリングユニット４０には係止部７０が設置され、これによって、吸入口４２を通して流入する洗濯水中の異物質が捕集される。フィルタリングユニット４０に流入する異物質は、係止部７０によって１次的に捕集され、フィルタ４８によって２次的に捕集されるので、異物質除去を効果的に行えるようになる。このような係止部７０は、ケース４６の底面から所定間隔を維持しながら突出する突起７２からなるので、吸入口４２を通して流入し、吐出口４７の方向に流動する異物質が突起７２に係止されるようになる。
【００５２】
以下、前記のように構成された本発明の一実施例による洗濯機のリフターの動作について説明する。
【００５３】
まず、使用者の操作によって駆動装置１８が駆動すると、前記ドラム２０が回転しながら洗濯作動が開始され、ドラム２０が回転すると、給水部５０によってタブ１４に収容された洗濯水がリフター本体３０の内部に流入する。このとき、制御プログラムによってドラム２０が時計方向に回転すると、第１の給水部５２を通して洗濯水が流入し、ドラム２０が反時計方向に回転すると、第２の給水部５４によって洗濯水が流入する。このように第１の給水部５２及び第２の給水部５４を通して流入した洗濯水は、隔壁３７によって区画されたそれぞれ異なる空間に移動するので、互いに干渉されることが防止され、ガイドパネル３９によって洗濯水の逆流が防止されることによって、洗濯水の循環が円滑に行われる。前記のように流入した洗濯水は、貫通ホール部３４及び吸入口４２を通してフィルタリングユニット４０の内部に流入した後、吐出口４７に沿ってドラム２０の内部に排出される。このとき、洗濯水に含まれた異物質は、係止部を通過しながら１次的に捕集され、吐出口４７内に設置されたフィルタ４８によって２次的に捕集されることによって、フィルタリングユニット４０の内部に残存する。したがって、異物質が除去された洗濯水がドラムの内部に供給されるので、洗濯作動を清潔に行えるようになる。その後、一定時間以上洗濯作動が持続されると、洗濯水の循環が反復的に行われ、洗濯水に含まれた異物質を効果的にろ過できるようになる。このような洗濯作動の終了後、使用者が弾性部６２を押しながらフィルタリングユニット４０を定着部３２内にスライディングさせると、フック６４が固定ホール部６６から離脱される。そして、延長部６８がストッパー６９と当接するまでフィルタリングユニット４０をさらにスライディングさせた後、使用者が定着部３２の溝部３３を通してフィルタリングユニット４０をつかむと、フィルタリングユニット４０をリフター本体３０から容易に分離できるようになる。併せて、カバー４１をヒンジ軸を中心に回転させると、係止突起４９ａが挿入ホール部４９ｂから離脱され、フィルタリングユニット４０が開放されることによって、フィルタリングユニット４０の内部に残存する異物質を除去できるようになる。前記のような作動によって洗濯物から落ちる毛羽などの異物質をフィルタリングユニット４０の内部に捕集することができ、フィルタリングユニット４０を容易に着脱することができる。その結果、洗濯作業を清潔かつ容易に行うことができ、異物質も容易に除去することができる。
【００５４】
本発明は、図面に示した一実施例を参考にして説明したが、これは、例示的なものに過ぎなく、当該技術分野で通常の知識を有する者であれば、これから多様な変形及び均等な他の実施例が可能であることを理解するであろう。また、リフターを備えるドラム洗濯機を例に挙げて説明したが、これは、例示的なものに過ぎなく、ドラム洗濯機でない一般の洗濯機にも本発明のリフターが使用可能である。したがって、本発明の真の技術的保護範囲は、下記の特許請求の範囲によって定められるべきである。
【図１】
2010526637.tif 000003
【図２】
2010526637.tif 000004
【図３】
2010526637.tif 000005
【図４】
2010526637.tif 000006
【図５】
2010526637.tif 000007
【図６】
2010526637.tif 000008
【図７】
2010526637.tif 000009
【図８】
2010526637.tif 000010
【図９】
2010526637.tif 000011
【国際調査報告】
2010526637.tif 000012
2010526637.tif 000013